(57)【特許請求の範囲】
【請求項１】
隣接する部屋間にパイプスペースを設け、
各部屋における前記パイプスペースの外面には衛生器具を設けるとともに、
パイプスペース内には前記衛生器具に接続される配管を設け、
前記衛生器具を部屋間の区画壁を介して対称状に配置し、
前記パイプスペースは、建物躯体の骨格が配置されていない第１パイプスペースと、建物躯体の骨格が配置された第２パイプスペースとを備え、
第１及び第２パイプスペースの外面に設けられる衛生器具の種類が異なることを特徴とする建築物。
【請求項２】
対称状に配置された衛生器具を共通の配管に接続したことを特徴とする請求項１に記載の建築物。
【発明の詳細な説明】
【技術分野】
【０００１】
この発明は、老人ホーム，病院，ビジネスホテル等の建築物に係り、特に建築物における便器や洗面台等の衛生器具及びその配管の配置構造に関するものである。
【背景技術】
【０００２】
従来、老人ホーム等の個室を有する建築物においては、複数の居住用の部屋が廊下等に面するとともに、並設状態で隣接するように区画され、各部屋に便器や洗面台等の衛生器具が設置される。この場合、衛生器具に接続される給水管や排水管等の配管が、部屋の床部や天井部に沿って横方向に延長されることが多い。
【０００３】
従って、この従来構成の建築物では、部屋の床部や天井部の厚さを大きくして、それらの内部に給水管や排水管等の配管を配置するための空間を確保する必要があった。このため、階高を高くしたとしても、天井高を充分に確保できない。また、このように配管が横方向に延長状態で配置された横引き配管構造では、地震の際に、横引き配管の継手等が破損しやすいというおそれがあった。
【０００４】
一方、従来の建築物におけるトイレとしては、例えば特許文献１に開示されるような構成も提案されている。この従来構成においては、平面四角状のトイレ空間の１つのコーナ部にパイプスペースが壁により区画形成されている。前記壁の外面には便器が設置されている。トイレ空間の他のコーナ部には洗面台が設置されている。パイプスペース内には、給水管及び排水管よりなる配管が縦方向に延びるように配置されている。そして、便器が配管に対して接続されている。
【先行技術文献】
【特許文献】
【０００５】
【特許文献１】特開平１１−３５０７５４号公報
【発明の概要】
【発明が解決しようとする課題】
【０００６】
ところが、この特許文献１に記載の従来構成では、洗面台に配管を接続する場合、その配管はトイレ空間の側壁内面に沿って横方向に長く延びることは避けられない。このため、地震の際に、建築物が揺れた場合には、この横引きの配管の接続部分が破損しやすい。加えて、配管を被うカバーを剥がしてしまえば、配管が露出して、その配管に対して容易にいたずらを加えることができるという問題もあった。
【０００７】
この発明は、このような従来の技術に存在する問題点に着目してなされたものである。この発明の目的は、部屋の天井高を確保することが可能な建築物を提供することにある。
この発明の別の目的は、地震の際に配管が破損するおそれを抑制することができる耐震性に優れた建築物を提供することにある。
【課題を解決するための手段】
【０００８】
上記の目的を達成するために、この発明は、隣接する部屋間にパイプスペースを設け、各部屋における前記パイプスペースの外面には衛生器具を設けるとともに、パイプスペース内には前記衛生器具に接続される配管を設け、前記衛生器具を部屋間の区画壁を介して対称状に配置したことを特徴としている。
【０００９】
従って、この発明の建築物では、衛生器具の配管が部屋の床部や天井部に沿って横方向に延長されることがないため、床部や天井部の厚さが小さくなって、部屋の天井高を大きく確保することができる。
【００１０】
さらに、この発明の建築物では、配管が横方向に延長されることがないため、地震の際に、配管が破損するおそれを抑制することができる。
前記の構成において、対称状に配置された衛生器具を共通の配管に接続するとよい。
【００１１】
前記の構成において、前記パイプスペース内に建物躯体の骨格を配置するとよい。
前記の構成において、前記パイプスペースは、前記骨格が配置されていない第１パイプスペースと、骨格が配置された第２パイプスペースとを備え、第１及び第２パイプスペースの外面に設けられる衛生器具の種類が異なるようにするとよい。
【発明の効果】
【００１２】
以上のように、この発明によれば、部屋の天井高を大きく確保することができるとともに、配管が横方向に延長されることがないため、地震の際に、配管が破損するおそれを抑制することができ、しかも、横引き配管が下階の天井面に存在しないため、部屋の工事に際して他室への影響や迷惑を回避できるという効果を発揮する。
【図面の簡単な説明】
【００１３】
【図１】一実施形態の建築物を示す横断面図。
【図２】図１のＰ１部分を拡大して示す部分横拡大断面図。
【図３】図１のＰ２部分を拡大して示す部分横拡大断面図。
【図４】図１のＰ３部分を拡大して示す部分横拡大断面図。
【図５】図１のＰ１部分を示す縦断面図。
【図６】図１のＰ３部分を示す縦断面図。
【図７】変更例を示す模式図。
【発明を実施するための形態】
【００１４】
以下に、この発明を具体化した建築物の一実施形態を、図面に従って説明する。
図１及び図５に示すように、この実施形態の建築物１１は複数階を有し、各階１０において、外壁１２と、廊下１３側の内壁１４との間に、複数の居住用の部屋１５が区画壁１６により、廊下１３に沿って並設状態で隣接するように区画されている。各部屋１５に対応して内壁１４には、開閉可能なドア１７ａを備えた入口１７が設けられている。１つおきの区画壁１６の内外両側縁には、建物躯体の骨格（柱）１８が配置されている。なお、建築物１１の端部においては、部屋１５の区割りの関係で、２つの区画壁１６をおいた位置に骨格１８が設けられている。
【００１５】
図２及び図３に示すように、隣接する部屋１５間には、前記外壁１２の内側に位置する二部屋共通のパイプスペース１９が壁２０により区画されている。パイプスペース１９は、前記骨格１８が配置されていない第１パイプスペース１９Ａと、骨格１８が配置された第２パイプスペース１９Ｂとからなっている。そして、これらのパイプスペース１９Ａ，１９Ｂが、建築物１１の複数階にわたって上下に連なるように設けられている。
【００１６】
図１及び図２に示すように、１つおきに配置されたＰ１部分の第１パイプスペース１９Ａにおいて、隣接する部屋１５に面した壁２０の外面における床部４０上には、衛生器具としての便器２１が部屋１５間の区画壁１６を介して対称状をなすように設置されている。図１及び図３に示すように、１つおきに配置されたＰ２部分の第２パイプスペース１９Ｂの外面において、隣接する部屋１５に面した壁２０の外面には、前記便器２１とは種類が異なった衛生器具としての洗面台２２が、部屋１５間の区画壁１６を介して対称状に配置されるように取り付けられている。つまり、１つおきに配置された第１パイプスペース１９Ａと第２パイプスペース１９Ｂとでは、種類の異なった衛生器具としての便器２１及び洗面台２２が取り付けられている。
【００１７】
図１及び図４に示すように、前記建築物１１の端部において、２つ並べて配置されたＰ３位置の第１パイプスペース１９Ａにおいて、壁２０の一側の外面に洗面台２２が取り付けられるとともに、他側の外面の側に床部４０上に便器２１が洗面台２２に対して対称状をなすように設置されている。また、建築物１１の隅角部に配置された第２パイプスペース１９Ｂの外面では、壁２０の外面に洗面台２２が取り付けられている。なお、この建築物１１の隅角部に配置された第２パイプスペース１９Ｂは、他の第２パイプスペース１９Ｂに対してほぼ半分の容積になっている。
【００１８】
以上のようにして、各部屋１５において、衛生器具としての便器２１と洗面台２２とが対向して配置されている。そして、各部屋１５内には便器２１と対応する側の区画壁１６に沿ってベッド３１が設置され、そのベッド３１の衝立状のフットボード３１ａよって便器２１が入口１７側から隠されるようになっている。３１ｂはベッド３１の同じく衝立状のヘッドボードを示す。
【００１９】
図２及び図５に示すように、ひとつおきのＰ１位置に配置された前記第１パイプスペース１９Ａ内には、両側の便器２１に接続される共通の配管としての給水管２３及び排水管２４が、建築物１１の複数階層にわたって縦方向に延びるように延長配置されている。第１パイプスペース１９Ａ内には、雨水を排出するための雨水排出管２５が、建築物１１の複数階にわたって縦方向に延びるように配置されている。なお、前記便器２１用の給水管２３には、中水が供給されるようになっている。
【００２０】
各部屋１５において各第１パイプスペース１９Ａの壁２０の下部には、便器２１の後部に近接してそれぞれ吸気口４８が設けられ、各吸気口４８の第１パイプスペース１９Ａ側には送気ダクト４９が接続されている。そして、各送気ダクト４９は上方に延長され、その吐出側の開口４９ａが上向きになっている。
【００２１】
偶数階の上部において、前記各第１パイプスペース１９Ａの外壁１２には、フード５０ａを備えた排気口５０が設けられ、その排気口５０には換気装置２６が接続されている。この換気装置２６は、換気ファン５２と、その換気ファン５２の吸引側に接続された吸引ダクト５３と、換気ファン５２の排出側と排気口５０との間に接続された排出ダクト５４とから構成されている。また、換気装置２６における吸引ダクト５３の吸引側の開口５３ａが、同一階における各送気ダクト４９の吐出側の開口４９ａよりも下方に位置している。
【００２２】
前記各第１パイプスペース１９Ａにおいて、下部側の奇数階と上部側の偶数階との間の床部４０には、連通孔５５が設けられ、この連通孔５５を介して、第１パイプスペース１９Ａが上層階と下層階との間で連通されている。そして、前記連通孔５５を含んで、吸引ダクト５３の吸引側の開口５３ａと、上層階及び下層階の各送気ダクト４９の吐出側の開口４９ａとの間における第１パイプスペース１９Ａが換気路となっている。
【００２３】
図３に示すように、ひとつおきのＰ２位置に配置された前記第２パイプスペース１９Ｂ内には、両側の洗面台２２の蛇口３８に接続される共通の配管としての給水管２９及び排水管３０が、建築物１１の複数階にわたって縦方向に延びるように配置されている。洗面台２２用の給水管２９には、上水が供給されるようになっている。建築物１１の端部の第２パイプスペース１９Ｂ内には同様な給水管２９及び排水管３０が設けられている。
【００２４】
図４及び図６に示すように、前記建築物１１の端部において、２つ並べて配置されたＰ３位置の第１パイプスペース１９Ａ内には、一側の便器２１に接続される中水用の給水管２３と、他側の洗面台２２の蛇口３８に接続される上水用の給水管２９と、便器２１及び洗面台２２用の排水管３０とが、建築物１１の複数階にわたって縦方向に延びるように配置されている。この第１パイプスペース１９Ａ内には、前記と同一構成の換気装置２６が配置されている。なお、第２パイプスペース１９Ｂ内の給水管２９及び排水管３０も図６と同様に構成されている。
【００２５】
以上のように、この実施形態においては、第１，第２パイプスペース１９Ａ，１９Ｂの外面において各部屋１５内に便器２１と洗面台２２とが接近して設置されている。従って、便器２１及び洗面台２２を便利に使用できる。
【００２６】
そして、この実施形態によれば、以下のような効果を得ることができる。
（１）  この建築物では、衛生器具と給水管及び排水管との間の短い配管を除き、衛生器具の配管が部屋１５の床部や天井部に沿って横方向に延長されることはないため、床部や天井部の厚さが小さくなって、階高が低い場合であっても、天井高を充分に確保することができる。
【００２７】
（２）  この建築物では、前記のように、配管が部屋１５の床部や天井部に沿って横方向に延長されることがなく、パイプスペース１９内において配管が縦方向に延長されているため、地震の際に配管が破損するおそれを抑制することができる。
【００２８】
（３）  この建築物では、部屋の改修を行う場合、この部屋の横引き配管が下階の天井面に存在しないため、当該部屋の工事のみを行えばよく、従って、下階の工事は不要になるため、他室への影響や迷惑を回避できる。
【００２９】
（４）  この建築物では、各種の配管が部屋１５外のパイプスペース１９Ａ，１９Ｂ内に配置されているため、部屋１５の居住者等により、配管に対して、いたずらされることを防止できる。
【００３０】
（５）  この建築物では、前記パイプスペース１９内に建物躯体の骨格１８が配置されている。このため、建物躯体の骨格１８が部屋１５内に露出されることはなく、部屋１５内の美観を向上させることができる。
【００３１】
（６）  この建築物では、各部屋１５内においてパイプスペース１９Ａ，１９Ｂ間の狭くなったエリアに便器２１と洗面台２２とが接近して配置されるため、便器２１及び洗面台２２を便利に使用できるとともに、部屋１５内のスペースを有効に利用できる。
【００３２】
（７）  この建築物では、前記パイプスペース１９が、骨格１８を配置していない第１パイプスペース１９Ａと、骨格１８を配置した第２パイプスペース１９Ｂとからなり、第１及び第２パイプスペース１９Ａ，１９Ｂの外面に異なった種類の衛生器具が設けられている。つまり、骨格１８が配置されることなく、広いスペースが形成された第１パイプスペース１９Ａ内には、給水管２３や排水管２４だけではなく、雨水排出管２５や換気装置２６等が設けられている。このため、スペースの異なる第１及び第２パイプスペース１９Ａ，１９Ｂの内部空間を有効に利用できる。
【００３３】
（８）  この建築物では、前記パイプスペース１９が複数の階層に連なって設けられている。よって、上下に連なる複数階層の部屋１５間において、パイプスペース１９Ａ，１９Ｂの配管を共用することができる。
【００３４】
（変更例）
なお、この実施形態は、次のように変更して具体化することも可能である。
・  図７に示すように、区画壁１６を介して並設された部屋１５の列が区画壁４１を介して２列に設けられた建築物１１において、区画壁１６，４１の交点位置に第１，第２パイプスペース１９Ａ，１９Ｂを設け、前記部屋１５ごとに、各パイプスペース１９Ａ，１９Ｂの外面に前記実施形態と同様な衛生器具を設けること。従って、この構成においては、第１，第２パイプスペース１９Ａ，１９Ｂの外面に４基の衛生器具が設けられる。このため、第１，第２パイプスペース１９Ａ，１９Ｂ内の排水管や給水管等は４基の衛生器具で共用することができ、部品点数をさらに削減できる。
【００３５】
・  前記実施形態においては、パイプスペース１９Ａ，１９Ｂの両側に設けられた一対の便器２１または洗面台２２に接続される給水管２３，２９及び排水管２４，３０が共用されるように構成されているが、共用されることなく１基の便器２１または洗面台２２ごとに給水管２３，２９及び排水管２４，３０を設けること。
【００３６】
・  各部屋１５において、トイレや洗面室を区画し、便器２１や洗面台２２をそれらの室内に設置すること。
・  衛生器具として、前記実施形態とは異なる機器，例えば蛇口を有するバスタブ，ユニットバス，シャワー室等を設けること。
【００３７】
・  前記実施形態においては、本発明を複数階層の建築物に具体化したが、単一階層の建築物に具体化すること。
【符号の説明】
【００３８】
１０…階、１１…建築物、１５…部屋、１６…区画壁１６、１８…建物躯体の骨格、１９…パイプスペース、１９Ａ…第１パイプスペース、１９Ｂ…第２パイプスペース、２０…壁、２１…衛生器具としての便器、２２…衛生器具としての洗面台、２３…配管としての給水管、２４…配管としての排水管、２６…換気装置、２９…配管としての給水管、３０…配管としての排水管。
【図１】
0005609131.tif 000002
【図２】
0005609131.tif 000003
【図３】
0005609131.tif 000004
【図４】
0005609131.tif 000005
【図５】
0005609131.tif 000006
【図６】
0005609131.tif 000007
【図７】
0005609131.tif 000008